(57)【要約】      （修正有）【課題】ユーザが携帯端末装置を本スタンドに載置しない場合には、起き上がり小法師として気軽に楽しむことが出来るとともに、前記携帯端末装置を本スタンドに載置すると、当該携帯端末装置を略垂直に立たせた状態にすることが可能な携帯端末装置用のスタンド１を提供する。【解決手段】地面と当接する底面部１０ａを湾曲形状とし、内部に錘１０ｂを設けて、前後方向に揺動する本体部１０と、前記本体部１０の錘１０ｂに対して後方側に設けられ、前方向の面にキャラクターの図柄を含む表示部を設けた立ち部１１と、前記本体部１０の錘１０ｂから前方側に設けられ、前記立ち部１１の軸方向に対して略垂直な方向で、且つ、前方向に開口され、前記携帯端末装置２の一端部２ａを装着可能な装着部１２とを備えることを特徴とする携帯端末装置用のスタンド１。【選択図】図３
0003186196.tif 000002
【実用新案登録請求の範囲】
【請求項１】
携帯端末装置用のスタンドであって、
地面と当接する底面部を湾曲形状とし、内部に錘を設けて、前後方向に揺動する本体部と、
前記本体部の錘から後方側に設けられ、前方向の面にキャラクターの図柄を含む表示部を設けた立ち部と、
前記本体部の錘から前方側に設けられ、前記立ち部の軸方向に対して略垂直な方向で、且つ、前方向に開口され、前記携帯端末装置の一端部を装着可能な装着部と
を備えることを特徴とする携帯端末装置用のスタンド。
【考案の詳細な説明】
【技術分野】
【０００１】
本考案は、携帯端末装置用のスタンドに関し、詳しくは、ユーザが携帯端末装置を本スタンドに載置しない場合には、起き上がり小法師として気軽に楽しむことが出来るとともに、前記携帯端末装置を本スタンドに載置すると、当該携帯端末装置を略垂直に立たせた状態にすることが可能な携帯端末装置用のスタンドに関する。
【背景技術】
【０００２】
従来より、携帯端末装置を載置できるスタンドの技術は、多数存在する。例えば、実用新案登録第３１８０１５７号公報（特許文献１）には、スマートフォン又は携帯型コンピュータ等の携帯電子機器を載置するためのスタンドが開示されている。このスタンドは、シリコーン素材で弾性を有して膨出した形状に形成され、表面の一部に前記携帯電子機器を載置する載置部を有し、底部に開口部を有し、内部に空間部を備えてなる。又、前記載置部は、裏面にリング状の肉薄部が形成され、該肉薄部に囲繞された円状部を有しており、当該載置部に携帯電子機器を載置するとその重量で当該載置部が凹み、携帯電子機器を取り去ると当該載置部が基の状態に膨らむ構成である。これにより、従来では考えられないような斬新で新規な形状で、デザイン性に極めて優れており、意外性や目新しさを充分に発現することができるとしている。又、使用時における意外性や目新しさを実感することができるだけでなく、携帯電子機器を安定した状態で載置部に載置できるとしている。
【０００３】
又、実用新案登録第３１７６００５号公報（特許文献２）には、携帯端末機の背面を覆う背板部(3)と、周面を覆う枠部(4)を備えたケース本体(2)を構成する携帯端末機用カバーケースが開示されている。この携帯端末機用カバーケースの枠部(3)は、外向きに突出する装飾体(10)から成る突出体(11)を含んでエラストマーにより一体成形されて成る。これにより、装飾体やスタンド手段を備えた携帯端末機用カバーケースを提供することができるとしている。
【０００４】
又、特開２０１２−１９９８１号公報（特許文献３）には、携帯情報端末に装着される本体部と、装着時に前記携帯情報端末の背面ほぼ中央の前記本体部にヒンジ結合されるフラップ部とを備える携帯情報端末用スタンドが開示されている。この携帯情報端末用スタンドのフラップ部は、前記携帯情報端末の横幅の半分より長い幅を有する。これにより、縦置きにしたときに安定して、縁寄りのボタン操作時にも端末が回転せず確実に入力作業を行えるという利点がある。
【０００５】
又、実用新案登録第３１７８３２３号公報（特許文献４）には、可撓性を有する１枚の本体板を曲げ加工することで背板部と底板部とが形成された携帯用品スタンドが開示されている。前記携帯用品スタンドの背板部には、携帯用品の面部を支持可能な吸着ラバーが設けられ、前記本体板は、ユーザが力を加えることで背板部と底板部との角度が調節可能な厚みを有する。これにより、部品点数を減らしつつ、使い勝手のよい携帯用品スタンドを提供できるとしている。
【０００６】
又、実用新案登録第３１８２１４８号公報（特許文献５）には、スタンドを備えた携帯端末機器の保護カバーが開示されている。前記保護カバーは、一側に携帯端末機器を設置する収容部を備え、他側にはスタンドとなる弾性支持板の設置部及び滑動接続部を備える筐体と、スタンドとなる弾性支持板と滑動部品を備える支持ユニットを有する。又、前記保護カバーの弾性支持板は、前記設置部に結合する連結部と該連結部から延長して湾曲形状を有する自由段とを具え、前記滑動部品は、該底板の滑動接続部とスライド移動可能に接続すると共に、上記弾性支持板上を押圧してスライド移動することにより、該弾性支持板の押圧位置に応じて、自由段の湾曲形状による展開を可能としている。これにより、スタンドを収容展開可能としている。
【０００７】
一方、小物を入れることができる起き上がり小法師の技術は、多数存在する。例えば、実用新案登録第３１５３０８２号公報（特許文献６）には、球体状で中空の小物入れ本体と、この小物入れ本体内にその重心を底部側に位置させて設けたところの内部構成手段と、前記小物入れ本体に被せてなる縫いぐるみと、この縫いぐるみに設けた小物などの収容部とを含む起き上がり小法師型小物入れが開示されている。この小物入れ本体は、その底部をやや緩やかな湾曲形状とし、さらに前記内部構成手段の重量は前記収容部に小物などを入れた際にその重みで前記小物入れ本体が揺動し難い重さとしている。これにより、起き上がり小法師の特徴である揺動機能と音発声機能を保持させた上で、小物入れとして使用できるとしている。
【０００８】
又、欧州特許出願公開第８４１０２５号明細書（特許文献７）には、持ち手の下端部分が底面積のある肥大した形状であり、その重点を下方とすることで、錘として機能し、常に垂直に立っているブラシ立てが開示されている。これにより、起き上がり小法師のように機能して、ブラシ等が常に垂直に立つ状態に戻るようにしている。
【先行技術文献】
【特許文献】
【０００９】
【特許文献１】実用新案登録第３１８０１５７号公報
【特許文献２】実用新案登録第３１７６００５号公報
【特許文献３】特開２０１２−１９９８１号公報
【特許文献４】実用新案登録第３１７８３２３号公報
【特許文献５】実用新案登録第３１８２１４８号公報
【特許文献６】実用新案登録第３１５３０８２号公報
【特許文献７】欧州特許出願公開第８４１０２５号明細書
【考案の概要】
【考案が解決しようとする課題】
【００１０】
しかしながら、上述した特許文献１−７に記載の技術には、携帯端末装置のスタンドと起き上がり小法師とを組み合わせる発想が無く、気軽に楽しめる斬新な携帯端末装置用のスタンドが存在しないという問題がある。
【００１１】
そこで、本考案は、前記問題を解決するためになされたものであり、ユーザが携帯端末装置を本スタンドに載置しない場合には、起き上がり小法師として気軽に楽しむことが出来るとともに、前記携帯端末装置を本スタンドに載置すると、当該携帯端末装置を略垂直に立たせた状態にすることが可能な携帯端末装置用のスタンドを提供することを目的とする。
【課題を解決するための手段】
【００１２】
本考案者は、鋭意研究を重ねた結果、本考案に係る新規な携帯端末装置用のスタンドを完成させた。
【００１３】
即ち、本考案に係る携帯端末装置用のスタンドは、地面と当接する底面部を湾曲形状とし、内部に錘を設けて、前後方向に揺動する本体部と、前記本体部の錘から後方側に設けられ、前方向の面にキャラクターの図柄を含む表示部を設けた立ち部と、前記本体部の錘から前方側に設けられ、前記立ち部の軸方向に対して略垂直な方向で、且つ、前方向に開口され、前記携帯端末装置の一端部を装着可能な装着部とを備えることを特徴とする。
【考案の効果】
【００１４】
本考案に係る携帯端末装置用のスタンドによれば、ユーザが携帯端末装置を本スタンドに載置しない場合には、起き上がり小法師として気軽に楽しむことが出来るとともに、前記携帯端末装置を本スタンドに載置すると、当該携帯端末装置を略垂直に立たせた状態にすることが可能となる。
【図面の簡単な説明】
【００１５】
【図１】本考案に係る第一の実施形態のスタンドの前面斜視図（図１Ａ）と、本考案に係る第一の実施形態のスタンドの後面斜視図（図１Ｂ）である。
【図２】本考案に係る第一の実施形態のスタンドの右側面図（図２Ａ）と、本考案に係る第一の実施形態のスタンドが前後方向に揺動する際の右側面図（図２Ｂ）である
【図３】本考案に係る第一の実施形態のスタンドに携帯端末装置を載置する際の前面斜視図（図３Ａ）と、本考案に係る第一の実施形態のスタンドに携帯端末装置を載置した際の前面斜視図（図３Ｂ）である。
【図４】本考案に係る第一の実施形態のスタンドに携帯端末装置を載置する際の右側面図（図４Ａ）であり、本考案に係る第一の実施形態のスタンドに携帯端末装置を載置した際の右側面図（図４Ｂ）である。
【図５】本考案に係る第二の実施形態のスタンドの前面斜視図（図５Ａ）と、本考案に係る第二の実施形態のスタンドの右側面図（図５Ｂ）である。
【図６】本考案に係る第二の実施形態のスタンドに携帯端末装置を載置した場合の前面斜視図（図６Ａ）と、本考案に係る第二の実施形態のスタンドに携帯端末装置を載置した場合の右側面図（図６Ｂ）である。
【考案を実施するための形態】
【００１６】
以下に、添付図面を参照して、本考案に係る携帯端末装置用のスタンドの実施形態について説明し、本考案の理解に供する。尚、以下の実施形態は、本考案を具体化した一例であって、本考案の技術的範囲を限定する性格のものではない。
【００１７】
＜第一の実施形態のスタンド＞
図１は、本考案に係る第一の実施形態のスタンドの斜視図であり、図１Ａは、本考案に係る第一の実施形態のスタンドの前面斜視図（正面斜視図）であり、図１Ｂは、本考案に係る第一の実施形態のスタンドの後面斜視図（背面斜視図）である。又、図２は、本考案に係る第一の実施形態のスタンドの右側面図であり、図２Ａは、本考案に係る第一の実施形態のスタンドの右側面図であり、図２Ｂは、本考案に係る第一の実施形態のスタンドが前後方向に揺動する際の右側面図である。
【００１８】
本考案に係る第一の実施形態の携帯端末装置用のスタンド１は、図１Ａ、図１Ｂ、図２Ａに示すように、地面と当接する底面部１０ａを湾曲形状とし、内部に錘１０ｂを設けて、前後方向に揺動する本体部１０と、前記本体部１０の錘１０ｂに対して後方側に設けられ、前方向の面にキャラクターの図柄を含む表示部１１ａを設けた立ち部１１と、前記本体部１０の錘１０ｂから前方側に設けられ、前記立ち部１１の軸方向に対して略垂直な方向で、且つ、前方向に開口され、前記携帯端末装置２の一端部２ａを装着可能な装着部１２とを備えることを特徴とする。
【００１９】
これにより、ユーザが携帯端末装置２を本スタンド１に載置しない場合には、起き上がり小法師として気軽に楽しむことが出来るとともに、前記携帯端末装置２を本スタンド１に載置すると、当該携帯端末装置２を略垂直に立たせた状態にすることが可能となる。
【００２０】
即ち、ユーザが携帯端末装置２を本スタンド１に載置しない場合、図２Ｂに示すように、本スタンド１の立ち部１１が、前記本体部１０の錘１０ｂにより、略垂直に立った状態になるとともに、前記本体部１０の底面部１０ａにより、前後方向に揺動することになる。
【００２１】
ここで、前記立ち部１１の前方向の面には、キャラクターの図柄を含む表示部１１ａが設けられているため、前記表示部１１ａが、あたかも前後方向にゆらゆらと揺動し、全体として起き上がり小法師として機能することになる。これにより、ユーザは、本スタンド１を携帯端末装置２に使用しない場合であっても、起き上がり小法師として気軽に楽しむことが可能となる。
【００２２】
図３は、本考案に係る第一の実施形態のスタンドに携帯端末装置を載置する場合の斜視図であり、図３Ａは、本考案に係る第一の実施形態のスタンドに携帯端末装置を載置する際の前面斜視図であり、図３Ｂは、本考案に係る第一の実施形態のスタンドに携帯端末装置を載置した際の前面斜視図である。又、図４は、本考案に係る第一の実施形態のスタンドに携帯端末装置を載置する場合の右側面図であり、図４Ａは、本考案に係る第一の実施形態のスタンドに携帯端末装置を載置する際の右側面図であり、図４Ｂは、本考案に係る第一の実施形態のスタンドに携帯端末装置を載置した際の右側面図である。
【００２３】
又、ユーザが携帯端末装置２を本スタンド１に載置する場合、前記装着部１２の開口部１２ａは、前記立ち部１１の前方向に開口されるため、ユーザは、当該装着部１２に携帯端末装置２を簡単に装着することが可能となる。
【００２４】
ここで、ユーザは、図３Ａ、図４Ａに示すように、携帯端末装置２の表面（表示部、操作部）を下面にして、当該携帯端末装置２の一端部２ａ（下端部）を本スタンド１の装着部１２に装着すると、前記本体部１０の錘１０ｂに対して装着部１２よりも後方側にある立ち部１１が、後方へ回転して、地面に当接し、丁度、本スタンド１の支持板として機能する。
【００２５】
そして、前記装着部１２は、前記立ち部１１の軸方向に対して略垂直な方向で、且つ、前方向に開口されているため、前記立ち部１１が、後方で地面に当接すると、図３Ｂ、図４Ｂに示すように、当該装着部１２の開口部１２ａが、地面に対して略垂直な方向に向く。これにより、本スタンド１は、前記携帯端末装置２を略垂直に立たせた状態にすることが出来るのである。この場合は、前記立ち部１１の表面部１１ａが後方へ位置するから、前面（前方向）には、携帯端末装置２の表面が現れ、ユーザが、当該携帯端末装置２の表面を確認することが可能となる。
【００２６】
尚、前記携帯端末装置２が略垂直に立った場合、本スタンド１の本体部１０の錘１０ｂは、前方向に位置することになるが、通常、当該錘１０ｂの重量よりも携帯端末装置２の重量が大きいため、この状態を維持することになる。
【００２７】
このように、本考案に係る携帯端末装置用のスタンド１では、不使用時には、起き上がり小法師として機能し、使用時には、携帯端末装置２を略垂直に立たせることが可能となる。そのため、本スタンド１は、ユーザに気軽な楽しみを与えるとともに、従来にない斬新さを与えることが可能となる。又、使用／不使用時における意外性もあり、今までにない目新しさを有している。
【００２８】
ここで、前記本体部１０は、底面部１０ａが湾曲形状であれば、どのような形状でもよく、例えば、図１Ａ、図１Ｂ、図２Ａ、図２Ｂに示すように、二枚の円板を並行に配置させることで、底面部１０ａが半円筒形状となる円筒形状が挙げられる。これにより、簡単に製造することが可能となる。その他に、前記本体部１０には、内部を充填した円筒形状、楕円筒形状、底面部１０ａが半球形状となる球形状、略球形状等が挙げられる。
【００２９】
又、前記本体部１０の錘１０ｂは、当該本体部１０と立ち部１１とが起き上がり小法師として機能するのであれば、どのような形状でも良く、例えば、図１Ａ、図１Ｂ、図２Ａ、図２Ｂに示すように、二枚の円板を並行に支持する略直方形状が挙げられる。これにより、構成を簡単にすることが可能となる。その他に、錘１０ｂの形状には、例えば、直方形状、正方形状、多角形状、円形状、円板状、円筒状、球状等が挙げられる。
【００３０】
又、前記錘１０ｂの位置は、当該本体部１０と立ち部１１とが起き上がり小法師として機能するのであれば、どのような形状でも良く、例えば、図１Ａ、図１Ｂ、図２Ａ、図２Ｂに示すように、前記底面部１０ａの上方近傍の位置が挙げられる。これにより、前記立ち部１１を含む本体部１０を緩やかに前後方向に揺動させることが可能となる。その他に、錘１０ｂの位置には、例えば、前記本体部１０の中央の位置が挙げられる。
【００３１】
又、前記立ち部１１は、起き上がり小法師として機能するのであれば、どのような構成でもよく、例えば、図１Ａ、図１Ｂ、図２Ａ、図２Ｂに示すように、全体を表示部１１ａを含む本体部として下端両側部を、二枚の円板の内側面に固定するよう構成することが出来る。これにより、組立を簡単にすることが可能となる。又、前記本体部１０が、内部を充填した形状であれば、前記立ち部１１の下端部を当該本体部１０に差し込み、固定するよう構成しても良い。
【００３２】
又、前記立ち部１１の位置は、前記本体部１０の錘１０ｂから後方側の位置であれば、どのような位置でも良く、例えば、図１Ａ、図１Ｂ、図２Ａ、図２Ｂに示すように、右側面視で、前記錘１０ｂの後方側で、且つ、前記本体部１０の中央の位置が挙げられる。特に、前記立ち部１１が、当該位置から、上方へ延出するように構成されると、図２Ｂに示すように、前記立ち部１１が鋭角に傾斜した状態で前後方向に揺動するため、当該立ち部１１の表面部１１ａをユーザに視認させ易くし、ユーザを視覚的に楽しませることが可能となる。
【００３３】
又、前記立ち部１１の形状は、起き上がり小法師として機能するのであれば、どのような構成でもよく、例えば、図１Ａ、図１Ｂ、図２Ａ、図２Ｂに示すように、前記表示部１１ａを表面として有する板形状に構成することが出来る。これにより、無駄を無くすることが可能となる。その他に、前記立ち部１１は、例えば、３次元的な立体形状でも構わない。
【００３４】
又、前記立ち部１１のサイズは、起き上がり小法師として機能するのであれば、どのような構成でもよく、例えば、図１Ａ、図１Ｂ、図２Ａ、図２Ｂに示すように、前記携帯端末装置２の長手方向のサイズ又は短手方向のサイズに対応させるか、当該携帯端末装置２の長手方向のサイズ又は短手方向のサイズよりも聊か小さいサイズ（例えば、約３分の２、約２分の１等）に構成することが出来る。これにより、例えば、テーブルや机に気軽に置いても、邪魔にならず、ユーザを視覚的に楽しませることが可能となる。
【００３５】
又、前記表示部１１ａは、キャラクターの図柄を含めば、どのような表示形態でも良く、単に、キャラクターの図柄のみを表示した表示形態や当該図柄とともに商品名等の名称を表示した表示形態が挙げられる。
【００３６】
又、前記装着部１２は、携帯端末装置２の一端部２ａを装着できれば、どのような構成でも良く、例えば、図１Ａ、図１Ｂ、図２Ａ、図２Ｂに示すように、前記立ち部１１の下端部の前面を、装着部１２の底面として、二つの長方形板を、当該立ち部１１の軸方向に対して略垂直な方向で、且つ、前方側に配置して、二つの円板の内側面に固定するよう構成することが出来る。これにより、全体の構成を更に簡素化し、量産し易く出来る。
【００３７】
又、前記装着部１２の開口部１２ａは、携帯端末装置２の一端部２ａを装着できれば、どのような構成でも良く、例えば、図１Ａ、図１Ｂ、図２Ａ、図２Ｂに示すように、前記携帯端末装置２の一端部２ａを全て装着できる程度の略長方形状に構成される。その他に、前記装着部１２の開口部１２ａは、左右両側面を削除され、側面視で、コの字形状で、凹形状に構成されても構わない。
【００３８】
又、前記開口部１２ａのサイズは、前記携帯端末装置２がスマートフォンである場合、当該スマートフォンにカバーが装着された状態でも不装着の状態でも一端部を装着できるサイズに構成すると好ましい。これにより、ユーザは、手軽にスマートフォンを本スタンド１に載置することが可能となる。
【００３９】
又、前記装着部１２に装着される携帯端末装置２の一端部２ａは、どのような一端部でも良く、携帯端末装置２の長手方向の一端部でも短手方向の一端部でも構わない。
【００４０】
又、前記携帯端末装置２は、どのようなものでも良く、例えば、スマートフォン、折畳式携帯電話機、タブレット型端末装置等が挙げられる。
【００４１】
＜第二の実施形態のスタンド＞
図５は、本考案に係る第二の実施形態のスタンドの斜視図であり、図５Ａは、本考案に係る第二の実施形態のスタンドの前面斜視図であり、図５Ｂは、本考案に係る第二の実施形態のスタンドの右側面図である。
【００４２】
本考案に係る第二の実施形態の携帯端末装置用のスタンド１は、図５Ａ、図５Ｂに示すように、前記本体部１０が、球形状であり、その底面部１０ａが半球形状であり、内部に錘１０ｂを内蔵している。又、前記立ち部１１が、前記本体部１０の後方から下方に傾斜して当該本体部１０に挿通されて、前記本体部１０の錘１０ｂに対して後方側に設けられている。又、前記装着部１２が、前記本体部１０の前方から前記立ち部１１の軸方向（面方向）に対して略垂直な方向で凹形状に切り抜かれることで、左右両側面を削除され、前方向に開口されている。
【００４３】
このような構成であっても、ユーザが携帯端末装置２を本スタンド１に載置しない場合には、上述のように、起き上がり小法師として気軽に楽しむことが可能となる。
【００４４】
図６は、本考案に係る第二の実施形態のスタンドに携帯端末装置を載置した場合の斜視図であり、図６Ａは、本考案に係る第二の実施形態のスタンドに携帯端末装置を載置した場合の前面斜視図であり、図６Ｂは、本考案に係る第二の実施形態のスタンドに携帯端末装置を載置した場合の右側面図である。
【００４５】
又、前記携帯端末装置２を本スタンド１に載置すると、図６Ａ、図６Ｂに示すように、前記立ち部１１が、後方へ回転して地面に当接し、前記装着部１２は、地面に対して略垂直な方向に向いて、前記携帯端末装置２を略垂直に立たせた状態にすることが可能となる。
【００４６】
ここで、第二の実施形態では、前記本体部１０が球形状であることから、当該本体部１０の装着部１２（開口部１２ａ）に対向する後方側に、地面に対して略水平な端部を有する当接部１３を新たに設けている。これにより、前記携帯端末装置２を本スタンド１に載置した場合に、全体として安定したスタンドになるように構成している。
【００４７】
このように、本考案に係る携帯端末装置用のスタンド１は、地面と当接する底面部１０ａを湾曲形状とし、内部に錘１０ｂを設けて、前後方向に揺動する本体部１０と、前記本体部１０の錘１０ｂに対して後方側に設けられ、前方向の面にキャラクターの図柄を含む表示部１１ａを設けた立ち部１１と、前記本体部１０の錘１０ｂから前方側に設けられ、前記立ち部１１の軸方向に対して略垂直な方向で、且つ、前方向に開口され、前記携帯端末装置２の一端部２ａを装着可能な装着部１２とを備えることを特徴とする。
【００４８】
これにより、ユーザが携帯端末装置２を本スタンド１に載置しない場合には、起き上がり小法師として気軽に楽しむことが出来るとともに、前記携帯端末装置２を本スタンド１に載置すると、当該携帯端末装置２を略垂直に立たせた状態にすることが可能となる。
【００４９】
尚、本考案の実施形態では、前記携帯端末装置２を載置可能な構成のみとしたが、更に、他の機能を追加しても構わない。例えば、本スタンド１の装着部１２に、前記携帯端末装置２の電力供給孔（ジャック）に接続される電力供給端子（プラグ）を設け、当該電力供給端子に電力供給可能な電源部を設けて、本スタンド１を携帯端末装置２の充電器を兼ねるよう構成しても良い。これにより、ユーザは、本スタンド１を視覚的に楽しめるとともに、携帯端末装置２を載置することで充電も行うことが可能となる。
【産業上の利用可能性】
【００５０】
以上のように、本考案に係る携帯端末装置用のスタンドは、携帯端末装置を気軽に載置出来るスタンドとして有用であり、ユーザが携帯端末装置を本スタンドに載置しない場合には、起き上がり小法師として気軽に楽しむことが出来るとともに、前記携帯端末装置を本スタンドに載置すると、当該携帯端末装置を略垂直に立たせた状態にすることが可能な携帯端末装置用のスタンドとして有効である。
【符号の説明】
【００５１】
１    携帯端末装置用のスタンド
１０  本体部
１０ａ  底面部
１０ｂ  錘
１１  立ち部
１１ａ  表示部
１２  装着部
１２ａ  開口部
【図１】
0003186196.tif 000003
【図２】
0003186196.tif 000004
【図３】
0003186196.tif 000005
【図４】
0003186196.tif 000006
【図５】
0003186196.tif 000007
【図６】
0003186196.tif 000008